(57)【特許請求の範囲】
【請求項１】
異なる波長の光信号を多重化した多重光信号を入力し、各波長の光信号を分波する光分波器であって、
入力する光を、その波長に応じて変化する透過率で透過して出力する光強度減衰手段と、
入力部に入力する光信号の内、所定の波長の光信号を分波して第１の光路に導き、その他の波長の光信号を第２の光路に導く複数の光分波手段と
を有し、
前段に配置される前記光分波手段の前記第２の光路に、前段と異なる波長の光信号を分波する前記光分波手段の入力部を光学的に接続させて順次配置し、初段の前記光分波手段の入力部に前記光強度減衰手段から出力される光信号が入力するように配置し、且つ前記光強度減衰手段が、前記順次配置された複数の光分波手段の内、後段に位置する光分波手段によって分波される光信号の波長ほど、前記透過率が大きくなる特性を備え、前記光強度減衰手段に前記多重光信号を照射したとき、分波されて前記複数の光分波手段の各第１の光路から出力される各波長の光信号の光強度が略同レベルとなるようにしたことを特徴とする光分波器。
【請求項２】
前記光強度減衰手段を透過或いは反射型の強度調整ＮＤフィルタで構成したことを特徴とする請求項１記載の光分光器。
【請求項３】
前記光分波手段を誘電体多層膜フィルタで構成したことを特徴とする請求項１記載の光分波器。
【請求項４】
前記光分波手段をサーキュレータとＦＢＧとで構成したことを特徴とする請求項１記載の光分波器。
【請求項５】
前記光分波手段をＦＢＧを用いたＭＺ干渉計によって構成したことを特徴とする請求項１記載の光分波器。
【発明の詳細な説明】
【０００１】
【発明の属する技術分野】
本発明は、波長多重通信などに用いられ、異なる波長の光を多重して形成した多重光信号を受けて、各波長の光を分波する光分波器に関する。
【０００２】
【従来の技術】
異なる波長を有する多数の光信号を同時に扱い、大容量の光伝送や波長ルーティングを実現しようとする波長多重（ＷＤＭ：Wavelength Division Multiplexing）光通信においては、ネットワーク上の各ノードで特定波長の光信号を利用するために取り出したり、その経路を変更するために多重化した光信号を一旦分波する必要がある。
【０００３】
このために用いられるのが光分波器であり、従来用いられる光分波器の一構成例を図１１に示す。
同図において、光分波器１００の１×４カプラ１０１は、多重光信号ＷＭＳを入力する。この多重光信号ＷＭＳは、その特性が図１２（ａ）の帯域特性図に示されるように、同じ強度レベルの４種類の波長λ１，λ２，λ３，及びλ４の光を多重して形成した光信号である。尚、図１２（ａ）の横軸は波長を示し、縦軸は光の強度レベルを示している。
【０００４】
１×４カプラ１０１は、入力光の略１／４の光強度レベルで、且つ４つに分割された分割光信号をそれぞれ光路１０２，１０３，１０４及び１０５に出力する。これらの各光路上に配置された透過型波長フィルタ１０６，１０７，１０８，及び１０９は、各々前記した波長λ１，λ２，λ３，及びλ４の光を透過する帯域フィルタで、それぞれ該当する波長の光信号のみを透過する。図１２（ｂ）は、このとき各フィルタを透過する光の波長帯域及びレベルを示している。尚、同図（ｂ）の横軸は波長を示し、縦軸は光の強度レベルを示している。
【０００５】
このようにして分波された各波長の出力光信号は、入力光に比べて光強度レベルが際立って低下するが、各信号のレベルは同程度に揃っている。
【０００６】
図１３は、従来用いられる他の光分波器の構成例を示す。同図中、光分波器１１０の４つの透過型波長フィルタ１１１，１１２，１１３，１１４は、共に誘電体多層膜フィルタで構成され、図１４（ａ）の帯域特性図に示すように各々特定の波長の波長λ１，λ２，λ３及，びλ４を中心とする狭帯域の波長の光のみを透過する。尚、同図の横軸は波長を示し、縦軸はフィルタの透過率を示している。
【０００７】
透過型波長フィルタ１１１，１１２，１１３，及び１１４は、図１３に示す様に、透過されずに反射する光が順次次段の透過型波長フィルタに向かうように、空間的に所定の関係を保って配置されている。
【０００８】
従って、前記した同じ強度レベルの４種類の波長λ１，λ２，λ３，及びλ４の光を多重して形成した多重光信号ＷＭＳを、図１３に示すように透過型波長フィルタ１１１に所定の角度で照射すると、透過型波長フィルタ１１１は、波長λ１の光を透過し、他の光を透過型フィルタ１１２に向けて反射する。この反射光を受けた透過型フィルタ１１２は、波長λ２の光を透過し、他の光を透過型フィルタ１１３に向けて反射する。同様にして透過型フィルタ１１３は、波長λ３の光を透過し、更に透過型フィルタ１１４は、波長λ４の光を透過する。
【０００９】
図１４（ｂ）は、このとき各フィルタを透過する光の波長帯域及びレベルを示している。同図から明らかなように、このようにして分波された各波長の出力光信号は、後述するように後段で分波されるほどレベルが低下する。
【００１０】
【発明が解決しようとする課題】
図１１に示した光分波器１００の場合、分波されて出力される波長λ１，λ２，λ３，及びλ４の各出力光信号は、光強度レベルが同程度に揃うものの、入力光が１×４カプラ１０１を経由するため、そのレベルが入力光に対して１／４程度に低下してしまう。
【００１１】
また、図１３に示した光分波器１１０の場合、分波されて出力される波長λ１，λ２，λ３，及びλ４の各出力光信号は、入力光に対する強度レベルの低下は少ないものの、入反射による損失と空間を伝播することによる損失とで、光路の後段で分波される光信号ほど強度レベルが低下する。
【００１２】
本発明の目的は、波長多重した多重光信号を分波する際に、分波された光の各強度レベルが互いに揃い、且つ分波された光の強度レベルが分波前の光の強度レベルに対して大幅に低下することのない光分波器を提供することにある。
【００１４】
【課題を解決するための手段】
本発明による光分波器は、異なる波長の光信号を多重化した多重光信号を入力し、各波長の光信号を分波する光分波器であって、入力する光を、その波長に応じて変化する透過率で透過して出力する光強度減衰手段と、入力部に入力する光信号の内、所定の波長の光信号を分波して第１の光路に導き、その他の波長の光信号を第２の光路に導く複数の光分波手段とを有し、前段に配置される前記光分波手段の前記第２の光路に、前段と異なる波長の光信号を分波する前記光分波手段の入力部を光学的に接続させて順次配置し、初段の前記光分波手段の入力部に前記光強度減衰手段から出力される光信号が入力するように配置し、且つ前記光強度減衰手段が、前記順次配置された複数の光分波手段の内、後段に位置する光分波手段によって分波される光信号の波長ほど、前記透過率が大きくなる特性を備え、前記光強度減衰手段に前記多重光信号を照射したとき、分波されて前記複数の光分波手段の各第１の光路から出力される各波長の光信号の光強度が略同レベルとなるように構成する。
また、前記光強度減衰手段を透過或いは反射型の強度調整ＮＤフィルタで構成してもよい。
【００１５】
また、前記光分波手段を誘電体多層膜フィルタで構成してもよい。
また、前記光分波手段をサーキュレータとＦＢＧとで構成してもよい。
更に、前記光分波手段をＦＢＧを用いたＭＺ干渉計によって構成してもよい。
【００１６】
【発明の実施の形態】
図１は、本発明による光分波器の実施の形態１の構成図を示す。同図中、光分波器１の４つの透過型波長フィルタ２，３，４，及び５は、共に誘電体多層膜フィルタで形成され、図３の帯域特性図に示すように各々特定の波長λ１，λ２，λ３，及びλ４を中心とする狭帯域の波長の光のみを透過する。尚、図３の帯域特性図の横軸は波長を示し、縦軸はフィルタの透過率を示している。
【００１７】
透過型波長フィルタ２，３，４，及び５は、図１に示す様に、透過されずに反射する光が順次次段の透過型波長フィルタに向かうように、空間的に所定の関係を保って配置されている。
【００１８】
透過型波長フィルタ２を通過する光の光路上には、光の強度を後述する如く所望量減少させるＮＤ（neutral-density）フィルタ６が配置され、透過型波長フィルタ３を通過する光の光路上には同じくＮＤフィルタ７が配置され、更に透過型波長フィルタ４を通過する光の光路上には同じくＮＤフィルタ８が配置されている。
【００１９】
図２は、これらのＮＤフィルタ６，７，８の各々の光の透過率を示す特性図で、横軸は波長を、縦軸は光の透過率をそれぞれ示している。同図から明らかなように、後段に配置されたフィルタほと透過率が高く設定されており、これらの理由については後述する。
【００２０】
以上のように構成された光分波器１において、多重光信号ＷＭＳを、図１に示すように透過型波長フィルタ２に所定の角度で入射する。多重光信号ＷＭＳは、その特性が図４（ａ）の帯域特性図に示されるように、同じ強度レベルの４種類の波長λ１，λ２，λ３，及びλ４の光を多重して形成した光信号である。尚、図４（ａ）の横軸は波長を示し、縦軸は光の強度を示している。
【００２１】
透過型波長フィルタ２は、この多重光信号ＷＭＳを受け、図３に示した波長λ１近傍の波長域の光信号を透過し、他の波長域の光信号を透過型フィルタ３に向けて反射する。透過型フィルタ３は、この反射光を受けて図３に示した波長λ２近傍の波長域の光信号を透過し、他の波長域の光信号を透過型フィルタ４に向けて反射する。同様にして透過型フィルタ４及び５は、各々反射光を受けて図３に示した波長λ３及びλ４近傍の帯域の光信号を透過し、他の波長域の光信号を反射する。
【００２２】
光分波器１に入射した多重光信号ＷＭＳは、入・反射による損失と空間を伝播することによる損失とで、後段にいくほどその光強度の低下率が高くなり、各透過型フィルタ２，３，４，及び５を透過して分波された段階の各波長の光信号の強度レベルは、順に低下する。
【００２３】
ＮＤフィルタ６は、分波された波長λ１の光信号を入力し、この光信号を、透過型フィルタ５を透過した波長λ４の光信号の光強度レベルＰＬまで減衰するようにその減衰量が予め設定されている。同じく、ＮＤフィルタ７は分波されて入力する波長λ２の光信号を強度レベルＰＬまで減衰し、ＮＤフィルタ８は入力する波長λ３の光信号を強度レベルＰＬまで減衰すように設定されている。図４（ｂ）は、分波されて光分波器１から取り出される各波長の光信号の帯域特性図であり、横軸は波長を示し、縦軸は光の強度レベルを示している。
【００２４】
図４（ｂ）の特性図から明らかなように、本発明の実施の形態１の光分波器１によれば、分波されて出力される各波長の光信号の光強度レベルを、透過型フィルタ５を透過した波長λ４の光信号の光強度レベルＰＬに揃えることが出来る。また、入・反射による損失と空間を伝播することによる損失は、それ程大きくならないため、入射する多重光信号ＷＭＳに対する各出力光の強度レベルＰＬのレベル低下を許容範囲内に抑えることが出来る。
【００２５】
図５は、本発明による光分波器の実施の形態２の構成図である。同図中、光分波器１０は、４つの分光素子１１，１２，１３，１４がカスケード接続された光路を有する。分光素子１１は、３Ｐ（ポート）サーキュレータ１１ａと反射型波長フィルタ１１ｂとからなり、サーキュレータ１１ａは、入力部Ｐ１に入光した光を反射型波長フィルタ１１ｂに導き、反射型波長フィルタ１１ｂは、入光した光の波長λ１近傍の帯域の光信号だけを反射し、他の波長の光信号を透過する。サーキュレータ１１ａは、反射型波長フィルタ１１ｂで反射して分波された波長λ１の光信号をその出力部Ｐ３から出力する。
【００２６】
分光素子１２は、反射型波長フィルタ１２ｂが、波長λ２近傍の帯域の光信号だけを反射する以外は前記分光素子１１と同様に作用する。また、分光素子１３及び１４も、各々の反射型波長フィルタ１３ｂ及び１４ｂが、波長λ３及びλ４近傍の帯域の光信号だけを反射する以外は、前記分光素子１１と同様に作用する。
【００２７】
これらの反射型波長フィルタ１１ｂ，１２ｂ，１３ｂ，１４ｂは、共に反射光の反射率が１００％に近いＦＢＧ（Fiber Bragg Grating）で形成されるものとするが、この場合でも、サーキュレータの挿入損失の影響で、各分光素子で分光される光信号の光強度の低下率は、後段で分波される光信号ほど高くなる。
【００２８】
アッテネータ１５は、分光素子１１で分光された波長λ１の光を入力し、後述するようにその光強度を所望量減衰して出力する。同様にしてアッテネータ１６及び１７も、各々分光素子１２及び１３で分光された波長λ２及びλ３の光信号の強度レベルを後述するようにそれぞれ所望量減衰して出力する。尚、これらのアッテネータ１５，１６，１７は、共に減衰量が設定可能な光アッテネータとして機能する透過型又は反射型の光強度ＮＤフィルタで構成されている。
【００２９】
以上のように構成された光分波器１０において、前記した同じ強度レベルの４種類の波長λ１，λ２，λ３，及びλ４の光を多重して形成した多重光信号ＷＭＳを、分光素子１１の３Ｐサーキュレータ１１ａの入力部Ｐ１に入射する。
【００３０】
この時、分光素子１１は、分光した波長λ１の光信号をサーキュレータ１１ａの出力部Ｐ３から出力し、分光素子１２は、分光した波長λ２の光信号をサーキュレータ１２ａの出力部Ｐ３から出力する。更に、分光素子１３は、分光した波長λ３の光信号をサーキュレータ１３ａの出力部Ｐ３から出力し、そして分光素子１４は、分光した波長λ４の光信号をサーキュレータ１４ａの出力部Ｐ３から出力する。
【００３１】
アッテネータ１５は、入力した波長λ１の光信号を、分光素子１４のサーキュレータ１４ａの出力部Ｐ３から出力される波長λ４の光信号の強度レベルＰＬ２まで所定量減衰して出力する。同様にしてアッテネータ１６は、入力する波長λ２の光信号を強度レベルＰＬ２まで減衰し、更にアッテネータ１７は、入力する波長λ３の光信号を強度レベルＰＬ２まで減衰する。
【００３２】
以上のように、本発明の実施の形態２の光分波器１０によれば、分波された各波長の光信号の強度レベルを、分光素子１４のサーキュレータ１４ａの出力部Ｐ３から出力される波長λ４の光信号の強度レベルＰＬ２に揃えることが出来る。また、各反射型波長フィルタ、及びサーキュレータを経由することによる光の強度損失が僅かですみ、入射する多重光信号ＷＭＳに対する各分光の強度レベルＰＬ２のレベル低下を数デシベル程度に抑えることができる。
【００３３】
図６は、本発明による光分波器の実施の形態３の構成図である。同図中、光分波器２０は、ＦＢＧを所定位置に配置した４つのＭＺ（Mach-Zehnder）型干渉計２１，２２，２３，２４がカスケード接続された光路を有する。ＭＺ型干渉計２１は、波長λ１近傍の帯域光信号だけを反射し、他の波長の光信号を透過するＦＢＧを所定位置に配置することにより、入力部２１ａに入力した光から分波した波長λ１近傍の光信号を反射光出力部２１ｃから出力し、他の波長の光を透過光出力部２１ｂから出力する。
【００３４】
ＭＺ型干渉計２２は、波長λ２近傍の帯域光信号だけを反射し、他の波長の光信号を透過するＦＢＧを用いることにより、入力部２２ａに入力した光から分波した波長λ２近傍の光信号を反射光出力部２２ｃから出力し、他の波長の光を透過光出力部２２ｂから出力する。
【００３５】
ＭＺ型干渉計２３及び２４も、各々波長λ３及びλ４近傍の帯域光信号だけを反射し、他の波長の光信号を透過するＦＢＧを用いることにより、入力部２３ａ及び２４ａに入力した光から分波した波長λ３及びλ４近傍の光信号を反射光出力部２３ｃ及び２４ｃから出力し、他の波長の光を透過光出力部２３ｂ及び２４ｂから出力する。
【００３６】
カスケード接続された各ＭＺ型干渉計の反射あるいは透過損失により、各ＭＺ型干渉計で分光される光信号の強度レベルの低下率は、後段で分波される光信号ほど高くなる。
アッテネータ２５は、ＭＺ型干渉計２１で分光された波長λ１の光を入力し、後述するようにその光強度を所定量減衰して出力する。同様にしてアッテネータ２６及び２７も、各々ＭＺ型干渉計２２及び２３で分光された波長λ２及びλ３の光信号の強度レベルを後述するようにそれぞれ所定量減衰して出力する。尚、これらのアッテネータ２５，２６，２７は、共に減衰量が設定可能な光アッテネータとして機能する透過型又は反射型の光強度ＮＤフィルタで構成されている。
【００３７】
以上のように構成された光分波器２０において、前記した同じ強度レベルの４種類の波長λ１、λ２、λ３及びλ４の光を多重して形成した多重光信号ＷＭＳを、ＭＺ型干渉計２１の入力部２１ａに入射する。
【００３８】
この時、ＭＺ型干渉計２１は、分光した波長λ１の光信号をその反射光出力部２１ｃから出力し、ＭＺ型干渉計２２は、分光した波長λ２の光信号をその反射光出力部２２ｃから出力する。更に、ＭＺ型干渉計２３は、分光した波長λ３の光信号をその反射光出力部２３ｃから出力し、そしてＭＺ型干渉計２４は、分光した波長λ４の光信号をその反射光出力部２４ｃから出力する。
【００３９】
アッテネータ２５は、入力した波長λ１の光信号を、ＭＺ型干渉計２４の反射光出力部２４ｃから出力される波長λ４の光信号の強度レベルＰＬ３まで所定量減衰して出力する。同様にして、アッテネータ２６は、入力する波長λ２の光信号を強度レベルＰＬ３まで減衰し、更にアッテネータ２７は、入力する波長λ３の光信号を強度レベルＰＬ３まで減衰する。
【００４０】
以上のように、本発明の実施の形態３の光分波器２０によれば、分波された各波長の光信号の強度レベルを、ＭＺ型干渉計２４の反射光出力部２４ｃから出力される波長λ４の光信号の強度レベルＰＬ３に揃えることが出来る。また、ＭＺ型干渉計での反射透過による光の強度損失が小さいため、入射する多重光信号ＷＭＳに対する各分光の強度レベルＰＬ３のレベル低下を許容範囲内に抑えることができる。
【００４１】
図７は、本発明による光分波器の実施の形態４の構成図である。この光分波器３０は、前記した図１に示す光分波器１からＮＤフィルタ６，７，８を除き、新たに透過率分布フィルタ３１を配設した構成となっている。従って、光分波器１（図１）と共通する部分には同一符号を付してその説明を省略し、異なる部分についてのみ説明する。
【００４２】
透過率分布フィルタ３１は、透過型フィルタ２の前段に配置され、これを透過した光が、透過型波長フィルタ２に所定の角度で入射するように構成されている。図８は、透過率分布フィルタ３１の帯域特性を示す特性図で、横軸に波長を示し、縦軸に光透過率を示している。
【００４３】
前記したように、入・反射による損失と空間を伝播することによる損失とで、各透過型波長フィルタ２，３，４，５で分光される光信号の強度レベルの低下率は、後段で分波される光信号ほど高くなる。即ち、図７の構成では、波長λ１、波長λ２、波長λ３、波長λ４の順に分光されるため、この順に順次低下率が大きくなる。一方、透過率分布フィルタ３１は、図８の特性図から明らかなように、通過する光の波長に応じて透過率が変化し、波長λ１から波長λ４に向かうにつれ透過率が大きくなる特性を持つ。
【００４４】
そして各波長の光が透過率分布フィルタ３１に入光し、該当する波長の透過型フィルタを通過して分光されるまでの光強度の減衰率が、各波長で略同じになるように構成されている。
【００４５】
従って、前記した同じ強度レベルの４種類の波長λ１，λ２，λ３，及びλ４の光を多重して形成した多重光信号ＷＭＳを、この光分波器３０の透過率分布フィルタ３１に照射すると、各透過型波長フィルタ２，３，４，５からは、各々分光された波長λ１，λ２，λ３，λ４の光信号が略同一の強度レベルで出力される。
【００４６】
以上のように、本発明の実施の形態４の光分波器３０によれば、分波された各波長の光信号の強度レベルを揃えることが出来る。また、実施の形態１の光分波器１（図１）に比べ、構成部品点数を減らすことが出来る。
【００４７】
図９は、本発明による光分波器の実施の形態５の構成図である。この光分波器４０は、前記した光分波器１０（図５）からアッテネータ１５，１６，１７を除き、新たに強度調整ＮＤフィルタ４１を配設した構成となっている。従って、光分波器１０（図５）と共通する部分には同一符号を付してその説明を省略し、異なる部分についてのみ説明する。
【００４８】
強度調整ＮＤフィルタ４１は、分光素子１１の前段に配置され、これを透過した光が、分光素子１１の３Ｐサーキュレーション１１ａの入力部Ｐ１に入射するように構成されている。前記したように、サーキュレータの挿入損失の影響で、各分光素子１１，１２，１３，１４で分光される光信号の強度レベルの低下率は、後段で分波される光信号ほど高くなる。即ち、図９の構成では、波長λ１、波長λ２、波長λ３、波長λ４の順に分光されるため、この順に順次低下率が大きくなる。
【００４９】
一方、強度調整ＮＤフィルタ４１は、前記した透過率分布フィルタ３１（図７）と略同等の特性を示すもので、その特性を示す図８の特性図から明らかなように、通過する光の波長に応じて透過率が変化し、波長λ１から波長λ４に向かうにつれ透過率が大きくなる特性を持つ。
【００５０】
そして各波長の光が強度調整ＮＤフィルタ４１に入光し、該当する波長の分光素子によって分光されるまでの光強度の減衰率が、各波長で略同じになるように構成されている。
【００５１】
従って、前記した同じ強度レベルの４種類の波長λ１，λ２，λ３，及びλ４の光を多重して形成した多重光信号ＷＭＳを、この光分波器４０の強度調整ＮＤフィルタ４１に照射すると、各分光素子１１，１２，１３，１４からは、各々分光された波長λ１，λ２，λ３，λ４の光信号が略同一の強度レベルで出力される。
【００５２】
以上のように、本発明の実施の形態５の光分波器４０によれば、分波された各波長の光信号の強度レベルを揃えることが出来ると共に、実施の形態２の光分波器１０（図５）に比べ、構成部品点数を減らすことが出来る。
【００５３】
図１０は、本発明による光分波器の実施の形態６の構成図である。この光分波器５０は、前記した光分波器２０（図６）からアッテネータ２５，２６，１７を除き、新たに強度調整ＮＤフィルタ５１を配設した構成となっている。従って、光分波器２０（図６）と共通する部分には同一符号を付してその説明を省略し、異なる部分についてのみ説明する。
【００５４】
強度調整フィルタ５１は、ＭＺ型干渉計２１の前段に配置され、これを透過した光が、ＭＺ型干渉計２１の入力部２１ａに入射するように構成されている。前記したように、ＭＺ型干渉計の反射あるいは透過損失により、各ＭＺ型干渉計２１、２２，２３，２４で分光される光信号の強度レベルの低下率は、後段で分波される光信号ほど高くなる。即ち、図１０の構成では、波長λ１、波長λ２、波長λ３、波長λ４の順に分光されるため、この順に順次低下率が大きくなる。
【００５５】
一方、強度調整型ＮＤフィルタ５１は、前記した透過率分布フィルタ３１（図７）と略同等の特性を示すもので、その特性を示す図８の特性図から明らかなように、通過する光の波長に応じて透過率が変化し、波長λ１から波長λ４に向かうにつれ透過率が大きくなる特性を持つ。
【００５６】
そして各波長の光が強度調整ＮＤフィルタ５１に入光し、該当する波長のＭＺ干渉計によって分光されるまでの光強度の減衰率が、各波長で略同じになるように構成されている。
【００５７】
従って、前記した同じ強度レベルの４種類の波長λ１，λ２，λ３，及びλ４の光を多重して形成した多重光信号ＷＭＳを、この光分波器５０の強度調整ＮＤフィルタ５１に照射すると、各ＭＺ干渉計２１，２２，２３，２４からは、各々分光された波長λ１，λ２，λ３，λ４の光信号が略同一の強度レベルで出力される。
【００５８】
以上のように、本発明の実施の形態６の光分波器５０によれば、分波された各波長の光信号の強度レベルを揃えることが出来ると共に、実施の形態３の光分波器２０（図６）に比べ、構成部品点数を減らすことが出来る。
【００５９】
尚、前記実施の形態では、光強度減衰手段として透過型のＮＤフィルタを用いたが、これに限定されるものでなく、反射型のＮＤフィルタを用いてもよい。
【００６０】
【発明の効果】
本発明の光分光器によれば、波長多重した多重光信号を分波する際に、分波された各光の強度レベルを互いに揃えて出力し、且つ分波された光の強度レベルが分波前の光の強度レベルに対して顕著に低下することがない。従って、分波した光信号のレベルを揃えたり、増幅するための光増幅器を省くことも可能となり、光分波に伴うコストを削減できる。
【図面の簡単な説明】
【図１】  本発明による光分波器の実施の形態１の構成図である。
【図２】  ＮＤフィルタ６，７，８の各光の透過率を示す特性図である。
【図３】  透過型波長フィルタ１，２，３，及び４の帯域特性図である。
【図４】  光分波器１に入力する多重光信号と、各ＮＤフィルタから出力される分波された光信号の帯域特性図である。
【図５】  本発明による光分波器の実施の形態２の構成図である。
【図６】  本発明による光分波器の実施の形態３の構成図である。
【図７】  本発明による光分波器の実施の形態４の構成図である。
【図８】  透過率分布フィルタ３１の帯域特性図である。
【図９】  本発明による光分波器の実施の形態５の構成図である。
【図１０】  本発明による光分波器の実施の形態６の構成図である。
【図１１】  従来の光分波器の一構成例を示す図である。
【図１２】  図１１に示す光分波器１００の入出力光の帯域特性図である。
【図１３】  従来の光分波器の他の構成例を示す図である。
【図１４】  図１３に示す４つの透過型波長フィルタの特性図、及び光分波器１１０の出力光の帯域特性図である。
【符号の説明】
１  光分波器、  ２  透過型波長フィルタ、  ３  透過型波長フィルタ、  ４透過型波長フィルタ、  ５  透過型波長フィルタ、  ６  ＮＤフィルタ、  ７ＮＤフィルタ、  ８  ＮＤフィルタ、  １０  光分波器、  １１  分光素子、１１ａ  サーキュレータ、  １１ｂ  反射型波長フィルタ、  １２  分光素子、  １２ａ  サーキュレータ、  １２ｂ  反射型波長フィルタ、  １３  分光素子、  １３ａ  サーキュレータ、  １３ｂ  反射型波長フィルタ、  １４  分光素子、  １３ａ  サーキュレータ、  １３ｂ  反射型波長フィルタ、  １５  アッテネータ、  １６  アッテネータ、  １７  アッテネータ、  ２０  光分波器、  ２１  ＭＺ型干渉計、  ２１ａ  入力部、  ２１ｂ  透過光出力部、  ２１ｃ  反射光出力部、  ２２  ＭＺ型干渉計、  ２２ａ  入力部、２２ｂ  透過光出力部、２２ｃ  反射光出力部、  ２３  ＭＺ型干渉計、  ２３ａ  入力部、２３ｂ  透過光出力部、２３ｃ  反射光出力部、  ２４  ＭＺ型干渉計、  ２４ａ入力部、  ２４ｂ  透過光出力部、  ２４ｃ  反射光出力部、  ２５  アッテネータ、  ２６  アッテネータ、  ２７  アッテネータ、  ３０  光分波器、  ３１  透過率分布フィルタ、  ４０  光分波器、  ４１  強度調整フィルタ、  ５０  光分波器、  ５１  強度調整フィルタ。
【図１】
0003998385.tif 000002
【図２】
0003998385.tif 000003
【図３】
0003998385.tif 000004
【図４】
0003998385.tif 000005
【図５】
0003998385.tif 000006
【図６】
0003998385.tif 000007
【図７】
0003998385.tif 000008
【図８】
0003998385.tif 000009
【図９】
0003998385.tif 000010
【図１０】
0003998385.tif 000011
【図１１】
0003998385.tif 000012
【図１２】
0003998385.tif 000013
【図１３】
0003998385.tif 000014
【図１４】
0003998385.tif 000015